(57)【要約】【課題】多機能時計において、標準時刻電波の受信機能等特定機能を実行することができるか否かを機能ごとに使用者がひと目で認識することができるものとする。【解決手段】互いに異なる種類の機能にそれぞれ対応した動作を行う８つの動作モードを有し、この８つの動作モードにそれぞれ対応したモードマークＴＭＥ，ＣＡＬ，ＲＸ−Ｓ，ＴＭＲ，ＣＨＲ，ＷＴ−Ｓ，ＡＬ−１，ＡＬ−２が表示され、これらのうち選択された１つの動作モードに対応したモードマーク（例えば、ワールドタイムセット機能のモードマークＷＴ−Ｓ）を表示するモード表示手段４０を備え、８つの動作モードのうち予め設定された所定の動作モードにおいてのみ実行される標準時刻電波受信機能を有し、モード表示手段４０は、標準時刻電波受信動作の実行または不実行の別を、動作モードの表示の差異（モードマークＴＭＥの表示位置）によって表す。【選択図】図１
2008203134.tif 000002
【特許請求の範囲】
【請求項１】
互いに異なる種類の機能にそれぞれ対応した動作を行う動作モードを複数有し、前記複数の動作モードのうち選択されている動作モードを表示するモード表示手段を備え、
前記複数の動作モードのうち予め設定された所定の動作モードにおいてのみ実行される特定機能を有し、前記モード表示手段は、前記特定機能の実行または不実行の別を、前記動作モードの表示の差異によって表すものであることを特徴とする多機能時計。
【請求項２】
前記モード表示手段は、前記各動作モードに対応して該各動作モードのそれぞれを表すものとして表示されたモードマークと、複数の前記モードマークのうち選択されている動作モードに対応したモードマークを指示するモード指示手段とを備え、
前記モードマークのうち、前記特定機能の実行に対応した動作モードを表すモードマークと、前記特定機能の不実行に対応した動作モードを表すモードマークとで、予め外観上の差異が設定されており、
前記モード指示手段は、前記動作モードのうち選択されている動作モードに対応したモードマークを指示することを特徴とする請求項１に記載の多機能時計。
【請求項３】
前記複数の動作モードのうち前記特定機能を実行することができる動作モードにそれぞれ対応したモードマークの全ては、文字板上の所定範囲にひと纏まりに配置されていることを特徴とする請求項２に記載の多機能時計。
【請求項４】
前記特定機能を実行することができる動作モードにそれぞれ対応したモードマークの全てが配置されている文字板上のひと纏まりの所定範囲に、前記特定機能を実行可能である旨の表示が付設されていることを特徴とする請求項３に記載の多機能時計。
【請求項５】
前記特定機能を実行することができる動作モードにそれぞれ対応したモードマークの全てと、前記特定機能を実行することができない動作モードにそれぞれ対応したモードマークの全てとで、表示色が異なることを特徴とする請求項２から４のうちいずれか１項に記載の多機能時計。
【請求項６】
前記モードマークは文字であり、
前記特定機能を実行することができる動作モードにそれぞれ対応したモードマークの全てと、前記特定機能を実行することができない動作モードにそれぞれ対応したモードマークの全てとで、文字フォントのタイプが異なることを特徴とする請求項２から４のうちいずれか１項に記載の多機能時計。
【請求項７】
標準時刻電波を受信する受信回路と、該受信回路が取得した前記標準時刻電波に対応した受信信号に基づいて時刻データを生成し、この生成された時刻データに基づいて表示時刻を修正する時刻修正回路とを備え、
前記特定機能が、前記受信回路および前記時刻修正回路を動作させて前記時刻修正を実行する標準電波受信機能であることを特徴とする請求項１から６のうちいずれか１項に記載の多機能時計。
【発明の詳細な説明】
【技術分野】
【０００１】
本発明は多機能時計に関し、詳細には、電波を受信して自動的に時刻表示の修正機能を備えた多機能時計に関する。
【背景技術】
【０００２】
近年、標準時刻電波を受信して時刻表示を自動的に修正する機能を有する、いわゆる電波修正時計が普及してきている。特に最近は、標準電波受信用のアンテナを時計本体の筐体内に収納され、さらに、電波の受信性能向上により、筐体も樹脂製のものから金属製のものに変わりつつあり、外観上、電波修正時計ではない通常の時計と差異が無くなっており、女性用などサイズの小さい時計にも電波修正時計が適用されている。
【０００３】
また、カレンダー表示機能、ワールドタイム表示機能、アラーム機能、タイマー機能、クロノグラフ機能など本来の時計表示以外の機能を複数有する、いわゆる多機能時計にも電波修正時計が展開されている（特許文献１）。
【０００４】
ところで、電波修正時計は、標準時刻電波の受信中に、受信対象となる電波以外のノイズが混入しないように、各種機能の指針駆動やデジタル部の表示更新など駆動ノイズが発生しやすい機能を停止させる必要がある。
【０００５】
これとは反対に、使用者がタイマー機能やクロノグラフ機能などノイズが発生し易い機能を作動させている状況下では、作動中の当該機能を停止させることなく、電波受信の動作（特定機能）を行わないようにしている（特許文献２）。
【特許文献１】特開２００６−７１４６９号公報（図２等）
【特許文献２】特開平８−２０１５４６号公報
【発明の開示】
【発明が解決しようとする課題】
【０００６】
ところで、多機能時計が有する機能には、標準時刻電波の受信の際に動作を停止すると、当該機能の意味をなさなくなる機能と短時間の停止であれば問題の無い機能とがある。例えばクロノグラフ機能は、その動作中に電波受信のために機能を停止させたのでは当該機能の意味をなさなくなるため、電波受信動作を停止させるべきであり、例えばカレンダー機能は、一時的な停止によっても影響は少なく、電波受信動作を優先的に行うべき機能である。
【０００７】
そこで、多機能電波修正時計では、各機能ごとに、電波の受信を優先して行うか、または機能の動作を優先して行う（電波の受信を行わない）かの別が、予め設定されている。
【０００８】
しかし、上述した機能ごとの電波受信の可否設定の別を使用者が知るのは、それらの機能を実際に動作させて受信不可の注意表示がなされた場合や、実際の受信時刻になって受信動作が実行されたか否かを認識したときである。
【０００９】
また、電波受信の可否設定の別は、取扱説明書やカタログ等の記載を見ることで、事前に確認することは可能であるが、取扱説明書等を逐一確認させるのは使用者の便宜に則したものではなく、確認すべき取扱説明書等自体が常に手元に有るとは限らない。
【００１０】
本発明は上記事情に鑑みなされたものであり、標準時刻電波の受信機能等特定機能を実行することができるか否かを機能ごとに使用者がひと目で認識することができる多機能時計を提供することを目的とする。
【課題を解決するための手段】
【００１１】
本発明に係る多機能時計は、複数の動作モードのうち予め設定された所定の動作モードにおいてのみ実行される特定機能についての実行または不実行の別を、モード表示手段が、動作モードの表示の差異によって表すことにより、使用者がひと目で認識できるようにしたものである。
【００１２】
すなわち本発明に係る多機能時計は、互いに異なる種類の機能にそれぞれ対応した動作を行う動作モードを複数有し、前記複数の動作モードのうち選択されている動作モードを表示するモード表示手段を備え、前記複数の動作モードのうち予め設定された所定の動作モードにおいてのみ実行される特定機能を有し、前記モード表示手段は、前記特定機能の実行または不実行の別を、前記動作モードの表示の差異によって表すものであることを特徴とする。
【００１３】
ここで、互いに異なる種類の機能とは、例えば、ワールドタイム等の現在時刻を表示する時刻表示機能、カレンダーを表示する表示機能、電波修正時計における標準時刻電波の受信時刻を設定する電波受信セット機能、タイマー機能、クロノグラフ機能、ワールドタイムを設定するワールドタイムセット機能、アラーム機能などであり、多機能時計は、これらの機能にそれぞれ対応した各動作モードのうち、使用者により選択された１つの動作モードで動作する。
【００１４】
特定機能とは、例えば、この多機能時計がいわゆる電波修正時計の場合には、標準時刻電波を受信する受信機能や、気圧を検出する気圧検出機能などである。
【００１５】
そして、この特定機能は、選択されている動作モードによる機能に大きな影響を与える場合には、実行されないように予め設定されている。
【００１６】
このように構成された本発明に係る多機能時計によれば、モード表示手段は、互いに異なる種類の機能にそれぞれ対応した動作を行う複数の動作モードのうち選択されている動作モードを表示するとともに、複数の動作モードのうち予め設定された所定の動作モードにおいてのみ実行される特定機能の実行または不実行の別を動作モードの表示の差異によって表すため、使用者は、モード表示手段による動作モードの表示の差異を視認することで、各動作モードにおける特定機能の実行または不実行の別をひと目で認識することができる。
【発明の効果】
【００１７】
本発明に係る多機能時計によれば、標準時刻電波の受信機能等特定機能を実行することができるか否かを機能ごとに使用者がひと目で認識することができる。
【発明を実施するための最良の形態】
【００１８】
以下、本発明に係る多機能時計の具体的な実施形態について、図面を参照して説明する。
（実施形態）
図１は、本発明の一実施形態に係る多機能時計１００の正面外観を示す模式図である。図示の多機能時計１００は、標準時刻電波を所定時刻（通常は深夜の時間帯）に受信して標準時刻データを得る、アンテナ５１および検波回路５２からなる受信回路５０（図３参照）と、この受信回路５０が取得した標準時刻電波に対応した信号に基づいて時刻データを生成し、この生成された時刻データに基づいて、時計１００のアナログ指針である時針１１、分針１２および秒針１３を駆動回路７０により自動的に変位させて表示時刻を修正する時刻修正回路６０（図３参照）とを備えた、標準電波受信機能（特定機能）を有するいわゆる電波修正時計である。
【００１９】
この時計１００は、金属製のケース３０の内部に、図示を略した風防ガラスを通して視認可能の文字板２０が配設され、この文字板２０には、２つの小窓が開口し、各小窓にはそれぞれＬＣＤ（液晶表示装置）２１，２２が嵌め込まれ、ＬＣＤ２１には、アナログの指針である時針１１、分針１２および秒針１３によって表示される時刻に対応した都市名（図１においては、ＮＹＣ（ニューヨーク））がデジタル表示される。
【００２０】
ここで、都市名の選択は、使用者が、ケース３０の側部に設けられた都市名選択のボタン３２を押下することにより、ＬＣＤ２１に順次表示される約４０の都市名のうちの所望とする１つの都市名が現れた時点で押下を解除することで選択される。
【００２１】
ケース３０の側部には、上記都市名選択のボタン３２の他に、時針１１、分針１２および秒針１３を手動で変位させるための竜頭３１と、使用者が所望とする任意の時刻に、上記標準時刻電波を強制受信するための受信ボタン３３とを備えている。
【００２２】
また、文字板２０に形成された他方の小窓に嵌め込まれたＬＣＤ２２には、後述するワールドタイムやストップウォッチの計測時間が、デジタル表示される（図１においては、時刻表示モードで、ワールドタイムの一つであるＴＹＯ（東京）の時刻０時９分３５秒を表示）。
【００２３】
駆動回路７０は、図３に示すように、時針１１、分針１２および秒針１３を駆動する指針駆動回路７１と、メモリ７３に記憶された時差情報やモードマーク陰影パターン等に基づいて各ＬＤＣ２１，２２をそれぞれ駆動する液晶駆動回路７２とを備えている。
【００２４】
この時計１００は、互いに異なる種類の機能にそれぞれ対応した動作を行う動作モードを複数有している。その機能としては、ＬＣＤ２２に、ワールドタイムセット機能で設定された都市の現在時刻を表示する時刻表示機能、カレンダーを表示するカレンダ表示機能、標準時刻電波の受信時刻を設定するための表示を行う電波受信セット機能、所定時刻までの残存時間を表示するタイマー機能、経過時間を表示するクロノグラフ機能、他都市を選択するワールドタイムセット機能、２つのアラーム時刻を独立して設定・表示する第一アラーム機能および第二アラーム機能である。
【００２５】
なお、本実施形態の時計１００が有する動作機能は上述した通り８つであるが、本発明に係る多機能時計の多機能時計は、この形態に限定されるものではなく他の種類の機能を有するものであってもよく、有する機能の数も少なくとも２つ以上であればよく、８つの機能に限定されるものではない。
【００２６】
この時計１００は、各機能にそれぞれ対応した各動作モード（時刻表示モード、カレンダ表示モード、電波受信セットモード、タイマーモード、クロノグラフモード、ワールドタイムセットモード、第一アラームモードおよび第二アラームモード）のうち、この時計１００の使用者により選択されたいずれか１つの動作モードで動作する。
【００２７】
また、この時計１００は、８つの動作モードのうち、時刻表示モード、カレンダ表示モードおよび電波受信セットモードにおいては、上述した標準時刻電波の受信を行うが、残りの５つの動作モード、すなわち、タイマーモード、クロノグラフモード、ワールドタイムセットモード、第一アラームモードおよび第二アラームモードにおいては、上述した標準時刻電波の受信を行わないように予め設定されている。
【００２８】
タイマーモード、クロノグラフモード、ワールドタイムセットモード、第一アラームモードおよび第二アラームモードにおいては、標準時刻電波の受信動作によって、選択されている動作モードによる機能に影響を与える場合があり、そのような事態を回避するためである。
【００２９】
そして、使用者がこれらの動作モードのうち１つの動作モードを選択するモード選択ボタン（竜頭３１で兼用）を操作することによって、動作モードを選択することができる。
【００３０】
さらに、この時計１００は、上記８つの動作モードのうち、モード選択ボタンによって選択されている動作モードを表示するモード表示手段４０を備えている。
【００３１】
このモード表示手段４０は、８つの動作モードのうち予め設定された所定の動作モードにおいてのみ実行される標準時刻電波の受信を実行するか否かの別を、動作モードの表示の差異によって表すものである。
【００３２】
具体的には、各動作モードに対応して各動作モードのそれぞれを表す、文字板２０上に印刷されて固定的に印字されたモードマーク（時刻表示モードマークＴＭＥ、カレンダ表示モードマークＣＡＬ、電波受信セットモードマークＲＸ−Ｓ、タイマーモードマークＴＭＲ、クロノグラフモードマークＣＨＲ、ワールドタイムセットモードマークＷＴ−Ｓ、第一アラームモードマークＡＬ−１および第二アラームモードマークＡＬ−２）と、これら複数のモードマークのうち使用者に選択されている動作モードに対応したモードマークを指示するモード指示手段４１とからなり、モード指示手段４１は、８つの動作モードのうち選択されている動作モードに対応したモードマーク（ＴＭＥ、ＣＡＬ、ＲＸ−Ｓ、ＴＭＲ、マークＣＨＲ、ＷＴ−Ｓ、ＡＬ−１およびＡＬ−２のうち１つ）を指示する。
【００３３】
各モードマークＴＭＥ，ＣＡＬ，ＲＸ−Ｓ，ＴＭＲ，ＣＨＲ，ＷＴ−Ｓ，ＡＬ−１，ＡＬ−２は、文字板２０下部の、囲み枠２３ａによって区画された狭い領域２３に、略角度間隔（４５度間隔）で周上に配列された並びで印字され、固定的に表示されている。
【００３４】
なお、印字に代えて固定的な表示として、アップライトなインデックスやプレス加工により、文字を立体的に浮き出させた態様であってもよい。
【００３５】
また、各モードマークＴＭＥ，ＣＡＬ，ＲＸ−Ｓ，ＴＭＲ，ＣＨＲ，ＷＴ−Ｓ，ＡＬ−１，ＡＬ−２が表示される対象部分としては、文字板２０以外にも、例えば時計ケースの内側面など外部から視認可能の部分であってもよい。
【００３６】
モード指示手段４１は、時計１００の時針１１等と同様のアナログ指針であり、固定的に表示されたモードマークＴＭＥ，ＣＡＬ，ＲＸ−Ｓ，ＴＭＲ，ＣＨＲ，ＷＴ−Ｓ，ＡＬ−１，ＡＬ−２のうち１つを指し示すことによって、選択された動作モードを指示し、モード表示手段４０は選択されている動作モードを表示する。
【００３７】
ただし、モード指示手段４１としては、このようなアナログ指針の形態に限定されるものではない。
【００３８】
上述した８つの動作モードのうち標準時刻電波受信機能を実行することができる３つの動作モードにそれぞれ対応したモードマークＴＭＥ，ＣＡＬ，ＲＸ−Ｓは、全てのモードマークが表示されている区画された領域２３の範囲のうち、下部の領域にひと纏まりで表示されている。
【００３９】
ここで、ひと纏まりに配置されているとは、例えば全てのモードマークが配置されている占有領域の面積のうち、例えば１／４以下の面積領域、好ましくは１／６以下の面積領域、より好ましくは１／１０以下の狭い面積領域内に、標準時刻電波受信機能の実行が可能の動作モードに対応したモードマークＴＭＥ，ＣＡＬ，ＲＸ−Ｓの全てを集合して配置した状態など、これらモードマークＴＭＥ，ＣＡＬ，ＲＸ−Ｓの配置密度を他の領域よりも高くなるように配置した状態を意味する。
【００４０】
さらに、本実施形態の時計１００においては、標準時刻電波受信機能を実行することができる動作モードにそれぞれ対応したモードマークＴＭＥ，ＣＡＬ，ＲＸ−Ｓだけが、連続した配列となって、ひと纏まりとなっている。
【００４１】
このように標準時刻電波受信機能の実行に対応した動作モードを表すモードマーク群（ＴＭＥ，ＣＡＬ，ＲＸ−Ｓ）が、標準時刻電波受信機能の不実行に対応した動作モードを表すモードマーク群（ＴＭＲ，ＣＨＲ，ＷＴ−Ｓ，ＡＬ−１，ＡＬ−２）よりも下部に纏めて表示されていることにより、両モードマーク群間には外観上の差異、つまり配置の差異が設定されていることになり、このことは、標準時刻電波受信を実可能の動作モードと、標準時刻電波受信機能を実行しない動作モードとを、予め外観上の差異として設定していることとなる。
【００４２】
さらに、標準時刻電波受信機能を実行することができる動作モードにそれぞれ対応したモードマークＴＭＥ，ＣＡＬ，ＲＸ−Ｓの全てが配置されている文字板２０上のひと纏まりの所定範囲をひと括りにする、標準時刻電波受信機能を実行可能である旨の”Receive MODE RADIO CONTROLLED”という文字２４ａおよびモードマークＴＭＥ，ＣＡＬ，ＲＸ−Ｓの範囲を括るグラフィック２４ｂ（モードマークＴＭＥ，ＲＸ−Ｓをそれぞれ指示する三角記号を両端に有し、これら２つの三角記号を円弧の線分で連結したグラフィック）が表示されている。
【００４３】
なお、標準時刻電波受信機能の実行が可能である旨の表示としては、この態様以外に、例えば、ひと纏まりの所定範囲内のモードマークをひと括りにする記号（例えば、中括弧記号（｝，｛）などであってもよい。
【００４４】
このように構成された本実施形態に係る時計１００によれば、モード表示手段４０が、互いに異なる８種類の機能にそれぞれ対応した動作を行う８つの動作モードのうち選択されている動作モードを表示するとともに、８つの動作モードのうち予め設定された３つの動作モードにおいてのみ実行される標準時刻電波受信機能の実行または不実行の別を動作モードの表示の差異（表示態様の差異）によって表すため、使用者は、モード表示手段４０による動作モードの表示の差異を視認することで、各動作モードにおける標準時刻電波受信機能の実行または不実行の別をひと目で認識することができる。
【００４５】
つまり、可動のモード指示手段４１が、選択されている動作モードに対応した１つのモードマークを指示することにより、モード表示手段４０が、動作モードのうち選択されている動作モードを視認しやすく表示するとともに、モードマークは、標準時刻電波受信機能の実行に対応した動作モードを表すものと、標準時刻電波受信機能の不実行に対応した動作モードを表すものとで、予め外観上の差異（表示位置の差異）が設けられているため、モード指示手段４１が特定のモードマークを指示しているか否かに拘わらず、使用者が、モードマークを視認することで、動作モードごとに設定された、標準時刻電波受信機能の実行・不実行の別を、容易に認識することができる。
【００４６】
なお、標準時刻電波受信機能の実行に対応した動作モードを表すモードマークＴＭＥ，ＣＡＬ，ＲＸ−Ｓと、標準時刻電波受信機能の不実行に対応した動作モードを表すモードマークＴＭＲ，ＣＨＲ，ＷＴ−Ｓ，ＡＬ−１，ＡＬ−２とで設定されている外観上の差異としては、上述した表示位置の差異に限定されるものではなく、図２（ａ）に示すように、そのモードマークの文字等の表示色の差異によってもよいし、同図（ｃ）に示すように、そのモードマークの文字等のフォントの差異によってもよい。
【００４７】
モードマークの文字等の表示色の差異によって、外観上の差異を設定したものでは、同図（ｂ）に示すように、標準時刻電波受信機能の実行に対応した動作モードを表すモードマークＴＭＥ，ＣＡＬ，ＲＸ−Ｓと、標準時刻電波受信機能の不実行に対応した動作モードを表すモードマークＴＭＲ，ＣＨＲ，ＷＴ−Ｓ，ＡＬ−１，ＡＬ−２とをそれぞれ領域を分けて配置しなくてもよい。モードマークの文字等のフォントの差異によって、外観上の差異を設定したものでも同様である。
【００４８】
また、標準時刻電波受信機能を実行することができる動作モードにそれぞれ対応したモードマークＴＭＥ，ＣＡＬ，ＲＸ−Ｓがひと纏まりに配置されているため目立ち、これによって、使用者は、標準時刻電波受信機能を実行することができる動作モードにそれぞれ対応したモードマークＴＭＥ，ＣＡＬ，ＲＸ−Ｓを一層容易に認識することができる。
【００４９】
しかも、モードマークＴＭＥ，ＣＡＬ，ＲＸ−Ｓが１箇所にまとめて配置されているため、受信可能の動作モードの中から１つの動作モードを選択する場合に、選択操作をしやすいという効果も発揮される。
【００５０】
さらに、標準時刻電波受信機能を実行することができる動作モードにそれぞれ対応したモードマークＴＭＥ，ＣＡＬ，ＲＸ−Ｓの全てが配置されている文字板２０上のひと纏まりの下部範囲が、標準時刻電波受信機能を実行可能である旨の旨の”Receive MODE RADIO CONTROLLED”の文字２４ａおよびこのグラフィック２４ｂが付設されているため、使用者は、その文字等を視認することで、その範囲にあるモードマークＴＭＥ，ＣＡＬ，ＲＸ−Ｓの動作モードのときは間違いなく標準時刻電波受信機能を実行することができる動作モードであることを容易に認識することができる。
【００５１】
しかも、モードマークＴＭＥ，ＣＡＬ，ＲＸ−Ｓが１箇所にまとめて配置されているため、標準時刻電波受信機能を実行可能である旨の文字等２４ａ，２４ｂの表示を付記するスペースを小さく抑制することができる。
【００５２】
なお、このような文字等２４ａ，２４ｂの表示を付記することで、この多機能時計１００が電波修正時計であることをアピールすることができ、ステータス表示としての効果もある。
【００５３】
また、受信回路５０が標準時刻電波を受信し、時刻修正回路６０が受信回路５０によって取得された標準時刻電波に対応した受信信号に基づいて時刻データを生成し、この生成された時刻データに基づいて、表示時刻を修正するように駆動回路７０を制御する、という一連の標準電波受信機能により、使用者がタイマー機能やクロノグラフ機能などノイズが発生し易い機能を作動させている状況下では、作動中の当該機能を停止させることなく、電波受信の動作を行わないようにすることができ、反対に、時刻表示機能、カレンダーを表示する表示機能、電波修正時計における標準時刻電波の受信時刻を設定する電波受信セット機能など、一時的な停止があっても機能に影響が少ない動作モードでは、動作モードによる動作を停止した上で、標準電波受信機能を実行することができる。
（変形例１）
図１に示した実施形態の多機能時計１００は、モード指示手段４１が、時計１００の時針１１等と同様のアナログ指針であり、固定的に表示されたモードマークＴＭＥ，ＣＡＬ，ＲＸ−Ｓ，ＴＭＲ，ＣＨＲ，ＷＴ−Ｓ，ＡＬ−１，ＡＬ−２のうち１つを指し示すことによって、選択された動作モードを指示し、モード表示手段４０は選択されている動作モードを表示する形態であるが、この実施形態の変形例である多機能時計１００を図４に示す。
【００５４】
図示の多機能時計１００におけるモード指示手段４１は、文字板２０上に配置された各動作モードをそれぞれ表すモードマークＴＭＥ，ＣＡＬ，ＲＸ−Ｓ，ＴＭＲ，ＣＨＲ，ＷＴ−Ｓ，ＡＬ−１，ＡＬ−２にそれぞれ隣接して形成された８つの小丸窓４１ａ，４１ｂ，４１ｃ，４１ｄ，４１ｅ，４１ｆ，４１ｇ，４１ｈのうち、選択された動作モードに対応するモードマーク（図４においては時刻表示機能の動作モードに対応したモードマークＴＭＥ）に隣接した小丸窓４１ｄに、文字板２０の地色とは異なる色の印を露出させ、選択されていない動作モードに対応するモードマーク（図４においては時刻表示機能の動作モードに対応したモードマークＴＭＥを除いた７つのモードマークＣＡＬ，ＲＸ−Ｓ，ＴＭＲ，ＣＨＲ，ＷＴ−Ｓ，ＡＬ−１，ＡＬ−２）にそれぞれ隣接した小丸窓４１ａ，４１ｂ，４１ｃ，４１ｅ，４１ｆ，４１ｇ，４１ｈに、文字板２０の地色と同じ色の印を露出させるものであり、文字板２０の地色とは相違する色の印が露出したモードマークＴＭＥの動作モードが選択されていることを、使用者に視認させるものである。
【００５５】
なお、図４に示した多機能時計１００は、モード表示手段４０（特にモード指示手段４１）および文字板２０の小丸窓４１ａ，４１ｂ，４１ｃ，４１ｄ，４１ｅ，４１ｆ，４１ｇ，４１ｈが相違する以外、他の構成は図１に示した多機能時計１００と同一である。
【００５６】
したがって、図１の多機能時計１００とは異なるモード表示手段４０の構成を除いた他の構成によって奏される効果も、図１に示した多機能時計１００と同一である。
【００５７】
ただし、図４の多機能時計１００におけるモード表示手段４０は、図１の多機能時計１００におけるモード表示手段４０と同様の作用・効果を発揮するため、図４に示した実施形態の多機能時計１００は、図１に示した多機能時計１００と実質的に同一の作用・効果を発揮する。
【００５８】
すなわち、図４に示した変形例の多機能時計１００によれば、モード表示手段４０が、互いに異なる８種類の機能にそれぞれ対応した動作を行う８つの動作モードのうち選択されている動作モードを表示するとともに、８つの動作モードのうち予め設定された３つの動作モードにおいてのみ実行される標準時刻電波受信機能の実行または不実行の別を動作モードの表示の差異（表示態様の差異）によって表すため、使用者は、モード表示手段４０による動作モードの表示の差異を視認することで、各動作モードにおける標準時刻電波受信機能の実行または不実行の別をひと目で認識することができる。
【００５９】
つまり、可動のモード指示手段４１が、選択されている動作モードに対応した１つのモードマークを指示する（いずれかの小丸窓４１ａ，４１ｂ，４１ｃ，４１ｄ，４１ｅ，４１ｆ，４１ｇ，４１ｈに、文字板２０と地色とは相違する色の印を表示する）ことにより、モード表示手段４０が、動作モードのうち選択されている動作モードを視認しやすく表示するとともに、モードマークは、標準時刻電波受信機能の実行に対応した動作モードを表すものと、標準時刻電波受信機能の不実行に対応した動作モードを表すものとで、予め外観上の差異（表示位置の差異）が設けられているため、モード指示手段４１が特定のモードマークを指示しているか否かに拘わらず、使用者が、モードマークを視認することで、動作モードごとに設定された、標準時刻電波受信機能の実行・不実行の別を、容易に認識することができる。
（変形例２）
図１、４に示した実施形態の多機能時計１００は、文字板２０の小窓に嵌め込まれたＬＣＤ２１に、アナログの指針である時針１１、分針１２および秒針１３によって表示される時刻に対応した都市名がデジタル表示され、モード表示手段４０が、文字板２０上に固定的に表示された複数のモードマークとこれら複数のモードマークのうち１つを指示するモード指示手段４１とからなる実施形態であるが、図５に示した実施形態の多機能時計１００は、モード表示手段４０が、各動作モードに対応したモードマーク（図６（ａ）〜（ｈ）参照）をそれぞれ表す８つの画像と、これらモードマークのうち１つを、文字板２０の小窓に配設されたＬＣＤ２１に表示させるモード指示手段４１とを備えたものである。
【００６０】
ここで、小窓のＬＣＤ２１に表示されるモードマークの画像は、陰影パターンとして予めメモリ７３に記憶されており、モード指示手段４１は、このメモリから、対応する陰影パターンを読み出すことで、小窓のＬＣＤ２１に表示している。
【００６１】
８つのモードマークのうち、図６（ａ），（ｂ），（ｈ）にそれぞれ示すモードマークＴＭＥ，ＣＡＬ，ＲＸ−Ｓは、図６（ｃ），（ｄ），（ｅ），（ｆ），（ｇ）にそれぞれ示すモードマークＴＭＲ，ＣＨＲ，ＷＴ−Ｓ，ＡＬ−１，ＡＬ−２とは異なる文字フォントで表されており、この文字フォントの差異は、標準時刻電波の受信を実行するか否かの別に対応している。
【００６２】
したがって、モード指示手段４１が、文字板２０の小窓のＬＣＤ２１に、選択された動作モードに対応したモードマーク（図５において、時刻表示機能のモードマークＴＭＥ）を表示したとき、使用者は、選択されている動作モードを瞬時に認識することができるとともに、表示されたモードマークの文字フォントの差異に応じて、標準電波の受信動作を実行可能の動作モードであるか、標準電波の受信動作を実行しない動作モードであるかの別を、使用者に容易に視認させることもできる。
【００６３】
なお、図５に示した多機能時計１００は、モード表示手段４０（特にモード指示手段４１）およびモードマークの表示方法が相違する以外、他の構成は図１，４に示した多機能時計１００と同一である。
【００６４】
したがって、図１，４の多機能時計１００とは異なるモード表示手段４０の構成を除いた他の構成によって奏される効果も、図１，４に示した多機能時計１００と同一である。
【００６５】
ただし、図５の多機能時計１００におけるモード表示手段４０は、図１，４の多機能時計１００におけるモード表示手段４０と同様の作用・効果を発揮するため、図５に示した実施形態の多機能時計１００は、図１，４に示した多機能時計１００と実質的に同一の作用・効果を発揮する。
【００６６】
すなわち、図５に示した変形例の多機能時計１００によれば、モード表示手段４０が、互いに異なる８種類の機能にそれぞれ対応した動作を行う８つの動作モードのうち選択されている動作モードを表示するとともに、８つの動作モードのうち予め設定された３つの動作モードにおいてのみ実行される標準時刻電波受信機能の実行または不実行の別を動作モードの表示の差異（表示態様の差異）によって表すため、使用者は、モード表示手段４０による動作モードの表示の差異を視認することで、各動作モードにおける標準時刻電波受信機能の実行または不実行の別をひと目で認識することができる。
【００６７】
つまり、可動のモード指示手段４１が、選択されている動作モードに対応した１つのモードマークを小窓に嵌め込まれたＬＣＤ２１に指示することにより、モード表示手段４０が、動作モードのうち選択されている動作モードを視認しやすく表示するとともに、モードマークは、標準時刻電波受信機能の実行に対応した動作モードを表すものと、標準時刻電波受信機能の不実行に対応した動作モードを表すものとで、予め外観上の差異（文字フォントの差異）が設けられているため、使用者が、モードマークを視認することで、動作モードごとに設定された、標準時刻電波受信機能の実行・不実行の別を、容易に認識することができる。
【００６８】
なお、上述した各実施形態の多機能時計１００は、いわゆる電波修正時計であるが、電波修正時計の標準時刻電波を受信する受信機能に代えて、気圧を検出する気圧検出機能などを適用することもできる。
【図面の簡単な説明】
【００６９】
【図１】本発明の一実施形態に係る多機能時計の正面外観を示す図である。
【図２】図１に示した多機能時計のモード表示手段の変形例を示す図であり、（ａ）はモードマークの表示色の差異によるもの、（ｂ）はモードマークの表示色の差異によるものであって表示位置を変更したもの、（ｃ）はモードマークのフォントの差異によるもの、をそれぞれ表す。
【図３】図１に示した多機能時計における標準時刻電波受信動作を含む電波修正時計の機能の構成を示すブロック図である。
【図４】本発明に係る多機能時計の他の実施形態（その１）である多機能電波修正時計の外観を示す模式図である。
【図５】本発明に係る多機能時計の他の実施形態（その２）である多機能電波修正時計の外観を示す模式図である。
【図６】図５に示した多機能時計の文字板の小窓に表示される各モードマークを示す模式図である。
【符号の説明】
【００７０】
４０    モード表示手段
４１    モード指示手段
１００  多機能時計
ＴＭＥ，ＣＡＬ，ＲＸ−Ｓ，ＴＭＲ，ＣＨＲ，ＷＴ−Ｓ，ＡＬ−１，ＡＬ−２
モードマーク
【図１】
2008203134.tif 000003
【図２】
2008203134.tif 000004
【図３】
2008203134.tif 000005
【図４】
2008203134.tif 000006
【図５】
2008203134.tif 000007
【図６】
2008203134.tif 000008